【手続補正書】
【提出日】平成19年5月31日(2007.5.31)
【手続補正１】
【補正対象書類名】明細書
【補正対象項目名】全文
【補正方法】変更
【補正の内容】
【書類名】  明細書
【発明の名称】  清掃用具のヘッドホルダ
【特許請求の範囲】
【請求項１】  清掃用具のヘッドが取り付けられるホルダ部と、このホルダ部に対して枢軸を中心として回動可能に連結された柄部とを備える清掃用具のヘッドホルダであって、
上記柄部を上記ホルダ部に対して所望の角度でロックすることができるロック機構を備えていることを特徴とする、清掃用具のヘッドホルダ。
【請求項２】  上記ロック機構は、上記ホルダ部と柄部の一方に設けられ、上記枢軸を中心とした円弧に沿って形成された複数の凸部または凹部と、上記ホルダ部と柄部の他方に設けられ、上記複数の凸部または凹部の少なくとも１つに係合するロック状態と、上記複数の凸部または凹部のいずれにも係合しないアンロック状態とを選択できるロック部材とを備えて構成されている、請求項１に記載の清掃用具のヘッドホルダ。
【請求項３】  上記ホルダ部と上記柄部とは、上記ホルダ部の基端側に所定厚みを持つ板状連結部を一体形成するとともに、この板状連結部に貫通孔を形成する一方、上記柄部の先端側に上記板状連結部を挟む一対の壁部を一体形成するとともに、この一対の壁部に貫通孔を形成し、かつ、これら一対の壁部および板状連結部の各貫通孔に枢軸を通挿することにより、相互に回動可能に連結されており、
上記複数の凸部または凹部は、上記板状連結部の外周部に形成されているとともに、上記ロック部材は、上記柄部にその軸線方向に進退可能に設けられている、請求項２に記載の清掃用具のヘッドホルダ。
【請求項４】  上記柄部は、筒状に形成されており、
上記ロック部材は、この柄部の内部に嵌合させられ、この柄部の軸線に沿って進退移動可能なピストン部と、このピストン部の先端に一体形成され、かつ、上記一対の壁部の間から突出して上記複数の凸部または凹部の少なくとも１つに係合可能なロック作用部と、上記ピストン部から上記柄部の側壁を貫通して外部に突出させられた操作部とを備えている、請求項３に記載の清掃用具のヘッドホルダ。
【発明の詳細な説明】
【０００１】
【発明の属する技術分野】
本願発明は、たとえば、ほうきやブラシまたはモップなどの清掃用具のヘッドを保持し、柄などに連結して使用するための清掃用具のヘッドホルダに関する。
【０００２】
【従来の技術】
従来より、清掃用具のヘッドホルダには、ほうきやブラシまたはモップなどの清掃用具のヘッドを保持し、柄などを回動可能に連結するものがある。この種の従来の清掃用具のヘッドホルダを図４および図５に示す。図４は、従来の清掃用具のヘッドホルダ１００を分解して示す概略斜視図、図５は、図４のV-V線に沿う断面図である。この清掃用具のヘッドホルダ１００は、清掃用具のヘッドＣとしてほうきが取り付けられた例である。
【０００３】
図４に示すように、清掃用具のヘッドホルダ１００には、清掃用具のヘッドＣが取り付けられるホルダ部１０１と、柄Ｂが取り付けられる柄部１０２とが設けられている。ホルダ部１０１の基端側には、貫通孔１３を有する板状連結部１１２が一体形成されている。柄部１０２の先端側には、貫通孔１３に対応する貫通孔２３を有し、板状連結部１１２を挟む一対の壁部２２ａ，２２ｂが一体形成されている。柄部１０２は、ホルダ部１０１の壁部２２…間に板状連結部１１２を挟み、各貫通孔１３，２３…に枢軸３を通挿することにより、ホルダ部１０１に軸支されている。
【０００４】
上記枢軸３は、図５に示すように、貫通孔１３，２３…の内径と同等の外径を有する軸部３２の外周面にキー溝３５…を有しており、これらが板状連結部１１２の貫通孔１３に形成されたキー１４…に係合することによって、ホルダ部１０１の回動と同期して回転する。また、この枢軸３は、熱可塑性樹脂など弾性変形可能な材料から一体形成されており、図４および図５に示すように、その端部には、軸方向内側に向かって突出する係止突起３３…が形成されている。一方、柄部１０２は、熱可塑性樹脂など弾性変形可能な材料から一体形成されており、壁部２２ａ…には、その貫通孔２３を中心とした同心円上に複数の係止溝２４…が等間隔に形成されている。係止突起３３…は、これらの係止溝２４…のうちの任意の一部に係合する。
【０００５】
この従来の清掃用具のヘッドホルダ１００は、たとえば、清掃用具のヘッドＣをホルダ部１０１にねじなどにより固定し、柄Ｂを柄部１０２に嵌挿するなどして、組み立てて使用される。この従来の清掃用具のヘッドホルダ１００は、上記係止突起３３…が上記係止溝２４…に係合するので、柄Ｂを清掃用具のヘッドＣに対して所望の角度に軽く固定することができる。この角度は、清掃用具のヘッドＣを強制的に回動させれば、この回動に同期して枢軸３が回転し、係止突起３３…が枢軸３…の軸方向に弾性変形するので、容易に変更されうる。
【０００６】
したがって、従来の清掃用具のヘッドホルダ１００を使用して清掃を行う場合には、清掃する姿勢や清掃する場所に応じて、床や壁などの被清掃面に対して清掃用具のヘッドＣの清掃面Ｃ′全体を作用させることができる。
【０００７】
【発明が解決しようとする課題】
しかしながら、上記従来の清掃用具のヘッドホルダ１００では、柄Ｂは、清掃用具のヘッドＣに対して所望の角度に軽く固定されるものの、完全に固定されない。したがって、たとえばほうきの代わりにモップなどを取り付けて払拭清掃するような場合では、払拭する力によって清掃用具のヘッドＣが回動してしまうため、被払拭面に対して力をかけることができなくなり、きれいに払拭することができない。
【０００８】
そこで、本願発明は、上記した事情のもとで考え出されたものであって、清掃用具のヘッドに対して柄を所望の角度でロックすることができる清掃用具のヘッドホルダを提供することをその課題とする。
【０００９】
【発明の開示】
上記課題を解決するため、本願発明では、次の技術的手段を講じている。
【００１０】
すなわち、本願発明により提供される清掃用具のヘッドホルダは、清掃用具のヘッドが取り付けられるホルダ部と、このホルダ部に対して枢軸を中心として回動可能に連結された柄部とを備える清掃用具のヘッドホルダであって、上記柄部を上記ホルダ部に対して所望の角度でロックすることができるロック機構を備えていることを特徴としている。
【００１１】
本願発明においては、清掃用具のヘッドに対して柄を所望の角度で回動させることができる。したがって、清掃するときの姿勢や清掃する場所に応じて、床や壁などの被清掃面に対して清掃用具のヘッドの清掃面全体を使って清掃することができる。しかも、ロック機構によって清掃用具のヘッドに対して柄を所望の角度でロックすることができるので、たとえば清掃用具のヘッドとしてモップなどを用いて払拭清掃するような場合でも、清掃用具のヘッドと柄とが互いに回動してしまうことなく被払拭面に対して力をかけて払拭することができる。
【００１２】
好ましい実施の形態においては、上記ロック機構は、上記ホルダ部と柄部の一方に設けられ、上記枢軸を中心とした円弧に沿って形成された複数の凸部または凹部と、上記ホルダ部と柄部の他方に設けられ、上記複数の凸部または凹部の少なくとも１つに係合するロック状態と、上記複数の凸部または凹部のいずれにも係合しないアンロック状態とを選択できるロック部材とを備えて構成されている。
【００１３】
好ましい実施の形態においてはまた、上記ホルダ部と上記柄部とは、上記ホルダ部の基端側に所定厚みを持つ板状連結部を一体形成するとともに、この板状連結部に貫通孔を形成する一方、上記柄部の先端側に上記板状連結部を挟む一対の壁部を一体形成するとともに、この一対の壁部に貫通孔を形成し、かつ、これら一対の壁部および板状連結部の各貫通孔に枢軸を通挿することにより、相互に回動可能に連結されており、上記複数の凸部または凹部は、上記板状連結部の外周部に形成されているとともに、上記ロック部材は、上記柄部にその軸線方向に進退可能に設けられている。
【００１４】
このような構成によれば、上記ロック機構は、清掃用具のヘッドと柄とが互いに回動不能なロック状態と、それらが互いに回動可能なアンロック状態とを選択できるロック部材を備えている。このロック状態およびアンロック状態は、柄部の軸線に沿ってロック部材を進退移動することによって、容易に切り替えることができる。
【００１５】
好ましい実施形態においてはさらに、上記柄部は、筒状に形成されており、上記ロック部材は、この柄部の内部に嵌合させられ、この柄部の軸線に沿って進退移動可能なピストン部と、このピストン部の先端に一体形成され、かつ、上記一対の壁部の間から突出して上記複数の凸部または凹部の少なくとも１つに係合可能なロック作用部と、上記ピストン部から上記柄部の側壁を貫通して外部に突出させられた操作部とを備えている。
【００１６】
このような構成によれば、上記ロック部材は、柄部の内部に備えられているので、外部から見えず、見栄えがよい。また、このロック部材は、柄部の外部に突出させられた操作部を備えているので、この操作部をたとえば足などによってスライド移動させれば、上記ロック状態とアンロック状態とを容易に切り替えることができる。したがって、清掃用具のヘッドに対して柄を所望の角度でより容易にロックすることができる。
【００１７】
本願発明のその他の特徴および利点については、以下に行う発明の実施の形態の説明から、より明らかになるであろう。
【００１８】
【発明の実施の形態】
以下、本願発明の好ましい実施の形態について、図面を参照して具体的に説明する。
【００１９】
図１は、本願発明に係る清掃用具のヘッドホルダの一例を分解して示す概略斜視図、図２は、図１のII-II線に沿う断面図、図３は、図１のIII-III線に沿う断面図である。なお、以下において、本願発明に係る清掃用具のヘッドホルダは、柄部をホルダ部に対して所望の角度でロックするためのロック機構を従来例の清掃用具のヘッドホルダ１００にさらに組み込んだものとして説明する。また、従来例を示す図４および図５に表された部材および要素などと同等のものには同一の符号を付してある。
【００２０】
図１ないし図３に示すように、清掃用具のヘッドホルダＡは、清掃用具のヘッドＣが取り付けられるホルダ部１と、柄Ｂが取り付けられる柄部２とを備えており、上記柄部２は、上記ホルダ部１に対して枢軸（雌枢軸３ａ，雄枢軸３ｂ）を中心として回動可能に連結されている。また、この清掃用具のヘッドホルダＡは、上記柄部２を上記ホルダ部１に対して所望の角度でロックすることができるロック機構を備えている。
【００２１】
上記ホルダ部１は、本実施形態では、熱可塑性樹脂から一体形成されており、図１に示すように、清掃用具のヘッドＣを取り付けるための取付部１１を先端側に備えており、この取付部１１の一部から延出するように一体形成された板状連結部１２を基端側に備えている。
【００２２】
上記取付部１１は、図１に示すように、断面がコ字状を呈しており、略矩形を呈した板状の天板１１ａの両端縁から互いに対向する一対の側板１１ｂ…が延出するように形成されている。清掃用具のヘッドＣは、これらの側板１１ｂ…間に狭まれて、ねじ１１ｃなどで固定される。
【００２３】
なお、上記取付部１１は、本実施形態では、上述のように断面コ字状に形成されているが、清掃用具のヘッドＣを狭持することができるクランプ体など様々な形状に形成することもできる。
【００２４】
上記板状連結部１２は、柄部２をホルダ部１に対して回動可能に連結するための部分であって、図１に示すように、後述する一対の壁部２２ａ，２２ｂ間に挟まれた状態で、ホルダ部１がガタつかないように、略円板状に所定の厚みで形成されている。この板状連結部１２には、その中心部分に貫通孔１３が形成されており、この貫通孔１３には、その内面の一部から延出する２つのキー１４が備えられている。
【００２５】
上記柄部２は、本実施形態では、熱可塑性樹脂などの材料から形成されており、図１に示すように、柄Ｂを接続するための接続部２１が基端側に形成されている。この接続部２１の先端側には、図１および図３に示すように、その一部から延出するように、一対の壁部２２ａ，２２ｂが一体形成されている。
【００２６】
上記接続部２１は、図１に示すように、略円筒状に形成されており、その内径は、棒状の柄Ｂの外径と同等とされている。柄Ｂは、上記接続部２１の内部に嵌挿された上、リベット止めするなどして強固に固定される。
【００２７】
上記一対の壁部２２ａ，２２ｂは、図１および図２に示すように、上記板状連結部１２に対応して略円板状を呈する。また、これらの壁部２２…は、図３に示すように、互いに対向して配置されており、それらの間の隙間は、上記板状連結部１２を挟むことができるように、この板状連結部１２の厚みと同等もしくはこれより若干大とされている。また、各壁部２２…の中心には上記板状連結部１２の貫通孔１３と同径の貫通孔２３が形成されている。
【００２８】
また、上記壁部２２…のうちの少なくとも一方の壁部の側面２２′には、図１および図２に示すように、貫通孔２３を中心とした同心円上に、同一形状を呈した複数の係止溝２４…が等間隔に形成されている。
【００２９】
上記枢軸は、図１および図３に示すように、上記壁部２２ａ側から上記貫通孔１３，２３…に挿入される雌枢軸３ａと、他方の壁部２２ｂ側から挿入される雄枢軸３ｂとを有する。
【００３０】
上記雌枢軸３ａは、本実施形態では、熱可塑性樹脂など弾性変形可能な材料から一体形成されており、図３に示すように、円形板状の軸頭３１ａと、この軸頭３１ａから延出する軸部３２ａとを有する。
【００３１】
上記軸頭３１ａは、その直径が上記壁部２２…の直径と略同等とされており、その裏面の一部には、図１および図３に示すように、壁部２２ａの各係止溝２４…に対応する２つの係止突起３３…が一体形成されている。これらの係止突起３３…は、この清掃用具のヘッドホルダＡを組み立てた状態で、係止溝２４…のいずれかに係合する。
【００３２】
上記軸部３２ａは、図１および図３に示すように、略円筒状に形成されており、その先端部から上記軸頭３１ａまで延びる切欠き３６…が設けられている。これにより、雌枢軸３ａは、軸部３２ａがその半径方向内方に弾性変形し、上記貫通孔１３，２３…に容易に挿入されうる。
【００３３】
また、この軸部３２ａは、その軸方向長さが、上記壁部２２…間を亘る距離と略同等とされており、その先端部には、フランジ状に段形成されたフック３４が設けられている。これにより、この雌枢軸３ａは、軸頭３１ａが壁部２２ａに当接するまで挿入されると、フック３４が貫通孔２３における壁部２２ｂ側の端縁に引っかかるため、容易には抜けなくなる。
【００３４】
さらに、この軸部３２ａは、その外径が、上記貫通孔１３，２３…の内径と同等とされており、その外周面には、板状連結部１２のキー１４に対応するように、キー溝３５…が形成されている。上記キー１４…と上記キー溝３５…とは、雌枢軸３ａがホルダ部１と柄部２とを軸支した状態で、互いに係合する。これにより、雌枢軸３ａは、ホルダ部１に同期して回転することとなる。
【００３５】
上記雄枢軸３ｂは、本実施形態では、熱可塑性樹脂など弾性変形可能な材料から一体形成されており、図３に示すように、上記壁部２２…と同等の直径を有する円形板状の軸頭３１ｂと、この軸頭３１ｂから延出する軸部３２ｂとを有する。
【００３６】
上記軸部３２ｂは、図１および図３に示すように、略円筒状に形成されており、その外径が、上記雌枢軸３ａの軸部３２ａの内径と同等とされており、その外周面の一部には、環状突起３７が形成されている。一方、雌枢軸３２ａの軸部３２ａの内壁には、この環状突起３７に対応する環状溝３８が形成されている。この雄枢軸３ｂは、その軸部３２ｂを雌枢軸３ａの軸部３２ａに挿入するようにして取り付けれられることによって、環状突起３７が環状溝３８と係合し、雌枢軸３ａから容易に抜けないようにされる。
【００３７】
また、雄枢軸３ｂの軸頭３１ｂにも、雌枢軸と同様に、上記係止突起３３…を形成してもよい。
【００３８】
上記ロック機構は、図１および図２に示すように、板状連結部１２の外周部の一部に一体形成された複数の凸部４…、と、これらの凸部４…の少なくとも１つに係合するロック状態と、これらのいずれにも係合しないアンロック状態とを選択できるロック部材５とを備えて構成されている。
【００３９】
上記凸部４…は、図１および図２に示すように、上記板状連結部１２の外周部の基端側の約半周分に配置されているとともに、本実施形態では、上記係止溝２４…に対応するように配置されている。
【００４０】
上記ロック部材５は、図２および図３に示すように、上記柄部２の内部に嵌合させられるピストン部５１と、このピストン部５１の先端に一体形成されたロック作用部５２とを有している。
【００４１】
上記ピストン部５１は、本実施形態では、上記接続部２１の内径と同等あるいはこれより若干小とされた外径を有しており、図２および図３に示すように、接続部２１の内部をその軸線に沿って進退（図１ないし図３における上下方向）移動することができる。
【００４２】
上記ロック作用部５２は、図２に示すように、上記凸部４に対応する１つの凹部５５を有している。また、ロック作用部５２は、このロック部材５が凸部４…に向かって進移動した際に、凹部５５が上記一対の壁部２２…の間から突出することができるようにされている。これにより、このロック部材５は、凹部５５が凸部４…の１つに係合するロック状態と、凸部４…のいずれにも係合しないアンロック状態とをとることができる。
【００４３】
また、上記ロック部材５は、図１および図３に示すように、これを進退移動させるための操作部５３を有する。この操作部５３は、上記柄部２の接続部２１の側壁に沿うプレート５３ａと、このプレート５３ａの表面から突出するように一体形成されたレバー５３ｂと、上記プレート５３ａの裏面から上記接続部２１の内部に向かって延びつつ上記ピストン部５１に固定された連結部５３ｃとを備えている。上記接続部２１の側壁には、図１ないし図３における上下方向に延びる長孔５４が設けられており、上記操作部５３を進退移動させれば、これに連動して上記ロック部材５を進退移動させることができる。
【００４４】
次に、上記構成を有する清掃用具のヘッドホルダＡの作用について簡単に説明する。
【００４５】
清掃用具のヘッドホルダＡは、ロック部材５がアンロック状態の場合には、清掃用具のヘッドＣを強制的に回動させれば、この回動に同期して雌枢軸３ａが回転し、上記係止突起３３…が枢軸３…の軸方向に弾性変形するので、柄Ｂを清掃用具のヘッドＣに対して所望の角度に回動させることができる。したがって、この清掃用具のヘッドホルダＡを使用する際には、清掃する姿勢や清掃する場所に応じて、床や壁などの被清掃面に対して清掃用具のヘッドＣの清掃面Ｃ′全体を使用して清掃することができる。なお、このアンロック状態では、係止突起３３…と係止溝２４…との係合により、清掃用具のヘッドＣと柄Ｂとは、上記角度で互いに軽く固定されている。
【００４６】
ここで、上記操作部５３を操作すれば、上記板状連結部１２の凸部４…が上記係止溝２４…に対応するように配置されているが故に、上記ロック作用部５２の凹部５５が凸部４に係合し、ロック部材５がロック状態をとる。このようなロック状態では、柄Ｂの清掃用具のヘッドＣに対する角度を完全に固定することができるので、たとえば汚れのひどい床面などを払拭するような場合でも、より大きな力をかけて清掃することができる。なお、上述のような操作部５３の操作は、上記レバー５３ｂを足などでスライドさせることなどによって、容易に行うことができる。
【００４７】
もちろん、この発明の範囲は、上述した実施形態に限定されるものではない。柄部２がホルダ部１に対して所望の角度で回動可能となるようにするためには、係止突起３３…および係止溝２４…を形成せず、板状連結部１２を単に一対の壁部２２…に軸支するだけでもよい。
【００４８】
また、上述した実施形態では、ロック機構は、板状連結部１２の外周部に形成された複数の凸部４…と、これらの凸部４…の少なくとも１つに係合しうる凹部５５が設けられたロック部材５とを備えて構成されているが、これらの凸部４…を凹部に、かつ凹部５５を凸部にしてもよい。
【００４９】
以上、説明したように、本願発明の清掃用具のヘッドホルダでは、清掃用具のヘッドに対して柄を所望の角度でロックすることができる。
【図面の簡単な説明】
【図１】
本願発明に係る清掃用具のヘッドホルダの一例を分解して示す概略斜視図である。
【図２】
図１のII-II線に沿う断面図である。
【図３】
図１のIII-III線に沿う断面図である。
【図４】
従来の清掃用具のヘッドホルダの一例を示す概略斜視図である。
【図５】
図４のV-V線に沿う断面図である。
【符号の説明】
１              ホルダ部
２，            柄部
３ａ，３ｂ      雌枢軸、雄枢軸
４              凸部
５              ロック部材
１２            板状連結部
１３，２３      貫通孔
２２ａ，２２ｂ  壁部
５１            ピストン部
５２            ロック作用部
５３            操作部
５５            凹部
Ａ              清掃用具のヘッドホルダ
Ｃ              清掃用具のヘッド
【手続補正２】
【補正対象書類名】図面
【補正対象項目名】図１
【補正方法】変更
【補正の内容】
【図１】
2002017640.tif 000001
【手続補正３】
【補正対象書類名】図面
【補正対象項目名】図２
【補正方法】変更
【補正の内容】
【図２】
2002017640.tif 000002
【手続補正４】
【補正対象書類名】図面
【補正対象項目名】図４
【補正方法】変更
【補正の内容】
【図４】
2002017640.tif 000003
【手続補正５】
【補正対象書類名】図面
【補正対象項目名】図５
【補正方法】変更
【補正の内容】
【図５】
2002017640.tif 000004